Podtech/llm-jp-corpus-v4-ja_patent huggingface dataset:
【手続補正書】
【提出日】平成18年6月9日(2006.6.9)
【手続補正１】
【補正対象書類名】明細書
【補正対象項目名】特許請求の範囲
【補正方法】変更
【補正の内容】
【特許請求の範囲】  
【請求項１】  顆粒化されたポリアクリル酸が、下記の特性：
（ｉ）流動指数が２５以下であり、
（ｉｉ）嵩密度が少なくとも０．３５ｇ／ｃｃであり、そして
（ｉｉｉ）５重量％よりも少ない該ポリアクリル酸顆粒が米国標準仕様の３２５メッシュのふるいを通過するに十分な細かさを有する、
制御された放出性の薬学的錠剤に用いられるポリアクリル酸を顆粒化するための方法であって、
（ａ）無水ポリアクリル酸の微粉末を締固め装置に配送し、
（ｂ）該ポリアクリル酸粉末を締固めして、より大きな凝集粒子および／または凝集粒子の集合体にし、
（ｃ）該凝集粒子および／または凝集粒子の集合体を破砕して、該ポリアクリル酸顆粒にし、
（ｄ）該ポリアクリル酸顆粒をふるいにかけて過大のおよび／または過小のポリアクリル酸顆粒を除去するかまたは該方法に循環することによって所望の粒径の範囲を得ることから成り、
ここで、該ポリアクリル酸は、カルボン酸基および／またはジカルボン酸の無水物を有する繰返し単位を少なくとも５０モル％有し且つ水中に分散されて１０ｇ／ｌの濃度でｐＨが７になるまで中和されたときに該水に対し、少なくとも５００センチポイズの粘度を付与することによって特徴付けられる１種類以上のモノマーのポリマーであり、そして該ポリアクリル酸は非水性媒体中で沈降重合法により重合されたものである、
ことを特徴とする前記方法。
【請求項２】  前記ポリアクリル酸の前記締固めが、締固めローラを用いて達成される請求項１に記載の方法。
【請求項３】  前記締固めローラがローラ同士の間隔を約０．０１インチから約０．５インチまでの範囲に調節されている請求項２に記載の方法。
【請求項４】  前記ローラに掛かる圧力が前記締固めローラからコヒーレントストリップを形成するのに十分である請求項３に記載の方法。
【請求項５】  前記ポリアクリル酸が架橋されたポリアクリル酸である請求項１に記載の方法。
【請求項６】  場合により過小のおよび／または過大の顆粒を含む、前記微粉末が、１つ以上の垂直および／または水平スクリューを介して前記締固め装置に配送される請求項１に記載の方法。
【請求項７】  前記得られた顆粒が、米国標準仕様のふるいの５メッシュと３２５メッシュの間の平均粒径を有する請求項１に記載の方法。
【請求項８】
（ａ）無水ポリアクリル酸の微粉末を締固め装置に配送し、
（ｂ）該ポリアクリル酸粉末を締固めして、より大きな凝集粒子および／または凝集粒子の集合体にし、
（ｃ）該凝集粒子および／または凝集粒子の集合体を破砕して、該ポリアクリル酸顆粒にし、
（ｄ）該ポリアクリル酸顆粒をふるいにかけて過大のおよび／または過小のポリアクリル酸顆粒を除去するかまたは該方法に循環することによって所望の粒径の範囲を得る、上記工程から成る方法によって製造され、
そして下記特性
（ｉ）流動指数が２５以下であり、
（ｉｉ）嵩密度が少なくとも０．３５ｇ／ｃｃであり、
（ｉｉｉ）５重量％よりも少ない該ポリアクリル酸顆粒が米国標準仕様の３２５メッシュのふるいを通過するに十分な細かさを有し、そして
（ｉｖ）該顆粒状ポリアクリル酸が、カルボン酸基またはジカルボン酸の無水物を有する繰返し単位を少なくとも７５モル％有し且つ水中に分散されて１０ｇ／ｌの濃度でｐＨが７になるまで中和されたときに該水に対し、少なくとも４００センチポイズの粘度を付与することとによって特徴付けられる１種類以上のモノマーのポリマーであり、そして該ポリアクリル酸は非水性媒体中で沈降重合法により重合されたものである、
を有する、制御された放出性の薬学的錠剤に用いられる顆粒ポリアクリル酸生成物。
【請求項９】  錠剤に混入される請求項８に記載の顆粒状ポリアクリル酸生成物。
【請求項１０】  前記ポリアクリル酸の前記締固めが、締固めローラを用いて達成される請求項８に記載の顆粒ポリアクリル酸生成物。
【請求項１１】  前記締固めローラがローラ同士の間隔を約０．０１インチから約０．５インチまでの範囲に調節されている請求項１０に記載の顆粒ポリアクリル酸生成物。
【請求項１２】  前記ローラに掛かる圧力が前記締固めローラからコヒーレントストリップを形成するのに十分である請求項１１に記載の顆粒ポリアクリル酸生成物。
【請求項１３】  前記ポリアクリル酸が架橋されたポリアクリル酸である請求項８に記載の顆粒ポリアクリル酸生成物。
【請求項１４】  場合により非所望の顆粒を含む、前記微粉末が、１つ以上の垂直および／または水平スクリューを介して前記締固め装置に配送される請求項１３に記載の顆粒ポリアクリル酸生成物。
【請求項１５】  前記得られた顆粒が、米国標準仕様のふるいの５メッシュと３２５メッシュの間の平均粒径を有する請求項１４に記載の顆粒ポリアクリル酸生成物。
【請求項１６】  
Ａ）ｉ）ポリアクリル酸粉末を締固め装置に配送し、
ｉｉ）該ポリアクリル酸粉末を締固めて粒子とし、
ｉｉｉ）該ポリアクリル酸粒子を破砕して該顆粒ポリアクリル酸を得、そして
ｉｖ）該顆粒のポリアクリル酸をふるいにかけて実質的に米国標準仕様のふるいの５メッシュと３２５メッシュの間の粒子サイズを得る、
上記各工程からなる方法によってポリアクリル酸粉末を顆粒ポリアクリル酸に変換し、ここで該ポリアクリル酸はカルボン酸、ジカルボン酸無水物またはそれらの組合せに由来する繰返し単位を少なくとも５０モル％有するポリマーからなるそして該ポリアクリル酸は非水性媒体で沈降重合法により重合されたものである、
Ｂ）ｉ）制御された仕方で放出されるべき少なくとも１種の物質、
ｉｉ）上記顆粒ポリアクリル酸および
ｉｉｉ）少なくとも１種の慣用の錠剤形成用補助薬
からなる錠剤放出調合物を調製し、そして
Ｃ）該錠剤放出調合物を錠剤に形成する、
上記工程からなる、制御された放出性錠剤の製造法。
【請求項１７】  該顆粒ポリアクリル酸が２５以下の流動指数および少なくとも０．３５ｇ／ｃｃの嵩密度を有し、そして該錠剤放出調合物を製造するために用いられた該顆粒ポリアクリル酸の５重量％未満が米国標準仕様の３２５メッシュふるいを通過し且つ上記ポリアクリル酸が架橋されたポリアクリル酸である、請求項１６に記載の方法。
【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  ベントナイトおよび／またはカオリンと、アロエ繊維とを含み、該アロエ繊維は乾燥粉末状態に変形されており、乾燥アロエ粉末の割合は10重量パーセントないし90重量パーセントであり、ベントナイトおよび／またはカオリンの割合は90重量パーセントないし10重量パーセントであることを特徴とする腸機能調整用調合薬。
【請求項２】  請求項１に記載の調合薬において、乾燥アロエ繊維の割合は30％ないし70％であり、その残りがベントナイトおよび／またはカオリンであることを特徴とする調合薬。
【請求項３】  請求項２に記載の調合薬において、繊維粉末が60重量パーセントを占め、その残りがベントナイトおよび／またはカオリンであることを特徴とする調合薬。
【誤訳訂正書】
【提出日】平成18年4月25日(2006.4.25)
【誤訳訂正１】
【訂正対象書類名】明細書
【訂正対象項目名】特許請求の範囲
【訂正方法】変更
【訂正の内容】
【特許請求の範囲】
【請求項１】  α１−抗トリプシンおよびα１−抗トリプシン様活性をもつその他のセルピンからなる群から選択されるセリンプロテアーゼインヒビターを含む光老化を保護するための医薬組成物。
【請求項２】  第二のサンスクリーン剤または遊離基スカベンジャー剤、および医薬用添加剤をさらに含む請求項１に記載の医薬組成物。
【請求項３】  セリンプロテアーゼインヒビターがα１−抗トリプシンである請求項１または２に記載の医薬組成物。
【誤訳訂正２】
【訂正対象書類名】明細書
【訂正対象項目名】０００５
【訂正方法】変更
【訂正の内容】
【０００５】
【発明の概要】
本発明では、α１−抗トリプシンのようなセリンプロテアーゼに新規な用途を提供する。太陽光線照射によりもたらされる光老化ならびに日焼けおよび皮膚癌のようなその他の太陽による損傷に対してα１−抗トリプシンの局所適用が保護することが今示された。したがって、α１−抗トリプシン様活性をもつセリンプロテアーゼがサンスクリーン剤として有用であることが信じられる。α１−抗トリプシン様活性をもつセリンプロテアーゼを含有するサンスクリーン剤として使用するための組成物も提供される。
【誤訳訂正３】
【訂正対象書類名】明細書
【訂正対象項目名】００１０
【訂正方法】変更
【訂正の内容】
【００１０】
したがって、皮膚に対してα１−抗トリプシンまたはα１−抗トリプシン様活性をもつその他のセルピンを含有する組成物を局所適用すると光老化ならびに日焼けや皮膚癌のようなその他の太陽光損傷に対して保護を与える。「α１−抗トリプシン様活性をもつその他のセルピン」という用語により、α１−抗トリプシンとしてトリプシンおよびキモトリプシンプロテアーゼの双方に向けて同様な活性をもつセリンプロテアーゼインヒビターが意味される。このようなセルピンには天然セリンプロテアーゼインヒビターおよびα１−抗トリプシンと類似の活性と特異性をもつ様合理的に工学的に作成された突然変異体の双方がある。セリンプロテアーゼを合理的に工学的に製造する方法およびそれらのインヒビターは公知である。例えば、Dang等、Nature Biotechnology, 1997, 15: 146〜149を参照。
【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】
ａ）農薬電解質、
ｂ）水不溶性農薬系、
ｃ）アルキルグリコシド、および
ｄ）アルキルグリコシドと相互作用して構造化水性系を形成する補助界面活性剤
を含み、
ここで、補助界面活性剤（ｄ）が
ｉ）直鎖もしくは分枝鎖脂肪族もしくは芳香族アルコール、または
ｉｉ）アルコールもしくはエステルもしくはアルキルフェノールアルコキシラートであって、それぞれ１〜３個のＣ２〜Ｃ４アルコキシ基を含む、アルコキシル化Ｃ８〜Ｃ２２アルコール、アルコキシル化Ｃ８〜Ｃ２２アルキルフェノール、もしくはアルコキシル化Ｃ８〜Ｃ２２カルボン酸
または
ｉｉｉ）グリセリルアルキルもしくはアルケニルエステル
である、水性農薬濃縮配合物。
【請求項２】
前記直鎖または分枝鎖アルコール（ｉ）が、５〜２０個の炭素原子を含む、第一級もしくは第二級の直鎖もしくは分枝鎖アルキルもしくはアルケニルアルコールであるか、または５〜２０個の直鎖もしくは分枝鎖アルキル炭素原子を含むアルキル−もしくはアルケニル−置換芳香族アルコールであり；あるいは
前記アルコールもしくはエステルもしくはアルキルフェノールアルコキシラート（ｉｉ）が、それぞれ１〜３個のＣ２〜Ｃ４アルコキシ基を含む、アルコキシル化Ｃ８〜Ｃ２２第一級もしくは第二級の直鎖もしくは分枝鎖アルコール、アルコキシル化Ｃ８〜Ｃ２２アルキルフェノール、またはアルコキシル化Ｃ８〜Ｃ２２カルボン酸であり；あるいは
前記グリセリルアルキルもしくはアルケニルエステル（ｉｉｉ）が、Ｃ８〜Ｃ２２カルボン酸とグリセロールとのモノエステルである；
請求項１に記載の濃縮物。
【請求項３】
前記補助界面活性剤が、ペンタノール、ヘキサノール、オクタノール、オクタン−２−オール、デカノール、およびそれらの分枝鎖または分枝鎖均等物混合物、オレイルアルコール、２−エチル−１−ヘキサノール、平均エチレンオキシド含量２のエトキシル化ラウリルアルコール、平均エトキシル化度３のエトキシル化オクチルフェノール、ならびにモノラウリル酸グリセリンからなる群から選択されるメンバーを少なくとも１つ含有する、請求項２に記載の濃縮物。
【請求項４】
前記農薬電解質が、グリホセート、フォメサフェン、グルフォシネート、パラコートおよびベンタゾンからなる群から選択されるメンバーを少なくとも１つ含有するか、または硫酸アンモニウムである、請求項１〜３のいずれか１項に記載の濃縮物。
【請求項５】
前記水不溶性農薬系が農薬活性成分を含有する、請求項１〜４のいずれか１項に記載の濃縮物。
【請求項６】
前記水不溶性農薬系が本明細書に定めた水不溶性除草剤である、請求項５に記載の濃縮物。
【請求項７】
前記水不溶性除草剤が、ジウロン、リニュロン、スルフォメツロン、クロルスルフュロン、メトスルフロン、クロルイムロン、アトラジンおよびシマジンからなる群から選択されるメンバーを少なくとも１つ含有する、請求項６に記載の濃縮物。
【請求項８】
組成物が、カチオン性、アニオン性または両性の界面活性剤であるイオン性界面活性剤をさらに含む、請求項１〜７のいずれか１項に記載の濃縮物。
【請求項９】
濃縮物がさらに、８〜２０個のアルキルまたはアルケニル炭素原子を含む少なくとも１つの直鎖または分枝鎖−長鎖アルキルまたはアルケニルまたはアルキルアリール置換基をもつ、平均エチレンオキシド含量０〜２０のエトキシル化されていてもよいアミン、第四級アンモニウム塩またはアミンオキシドであるカチオン界面活性剤を含有し；あるいは
濃縮物がさらに、８〜２０個の炭素原子を含む少なくとも１つの長鎖アルキルまたはアルケニル置換基をもつ、アルキルスルフェート、アルキルカルボキシラート、アルキルスルホスクシナート、アルキルホスフェートまたはアルキルベンゼンスルホナートおよびその誘導体であるアニオン界面活性剤を含有する、
請求項８に記載の濃縮物。
【請求項１０】
前記水不溶性農薬系が、農薬電解質１５０重量部：水不溶性農薬系１重量部 〜農薬電解質１重量部：水不溶性農薬系４重量部の割合で存在する、請求項１〜９のいずれか１項に記載の濃縮物。
【請求項１１】
前記補助界面活性剤の割合が、アルキルグリコシド１重量部につき０．１重量部〜１重量部である、請求項１〜１０のいずれか１項に記載の濃縮物。
【請求項１２】
前記カチオン性、アニオン性または両性の界面活性剤の割合が、アルキルグリコシド１重量部につき０重量部〜１重量部である、請求項８に記載の濃縮物。
【請求項１３】
アルキルグリコシド、補助界面活性剤およびカチオン性、アニオン性または両性の界面活性剤の合計と農薬電解質との、重量による割合が、４：１〜１：１０である、請求項１〜１２のいずれか１項に記載の濃縮物。
【請求項１４】
目的外の植物に著しい損傷を与えるまたはそれらを死滅させる方法であって、それらの植物に除草剤として有効な量の請求項１〜１３のいずれか１項に記載の配合物を適用することを含み、ここで、農薬電解質が除草剤である、前記方法。
【請求項１５】
ａ）農薬電解質、
ｂ）水不溶性農薬系
ｃ）アルキルグリコシド、および
ｅ）所望によりイオン界面活性剤
の水性分散液を混合し、次いで
ｄ）アルキルグリコシドと相互作用して構造化水性系を形成する補助界面活性剤
を添加することを含み、
ここで、補助界面活性剤（ｄ）は
ｉ）直鎖もしくは分枝鎖脂肪族もしくは芳香族アルコール、または
ｉｉ）アルコールもしくはエステルもしくはアルキルフェノールアルコキシラートであって、それぞれ１〜３個のＣ２〜Ｃ４アルコキシ基を含む、アルコキシル化Ｃ８〜Ｃ２２アルコール、アルコキシル化Ｃ８〜Ｃ２２アルキルフェノール、もしくはアルコキシル化Ｃ８〜Ｃ２２カルボン酸
または
ｉｉｉ）グリセリルアルキルもしくはアルケニルエステル
である、
請求項１〜１４のいずれか１項に記載の配合物の製造方法。
【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】
外表面と内表面を具えた管状部を有し、前記外表面は補聴器の外表面の一部を規定し、前記内表面は前記管状部の内部空間を規定していて、両端が開口されたハウジングを有し、長手方向軸線をもつ補聴器であって、前記補聴器の長手方向軸線の一部は、前記管状部の長手方向軸線を形成し、前記補聴器の少なくとも電気／音響トランスデューサが前記内部空間に取り付けられており、前記管状部は前記電気／音響トランスデューサが専ら前記管状部の長手方向軸線に沿って挿入され得る一品構造であることを特徴とする補聴器。
【請求項２】
前記ハウジングに少なくとも１つの取り外し可能なカバーを有することを特徴とする請求項１記載の補聴器。
【請求項３】
前記開口の少なくとも１つを閉じるカバーを有することを特徴とする請求項１又は２記載の補聴器。
【請求項４】
前記カバーに取り付けられたモジュールを有することを特徴とする請求項１ないし３のいずれかに記載の補聴器。
【請求項５】
前記開口端部の１つに配置された区画と、２つの電気的接触部を有することを特徴とする請求項１に記載の補聴器。
【請求項６】
前記内表面は少なくとも前記トランスデューサを位置させるための案内を与えることを特徴とする請求項１に記載の補聴器。
【請求項７】
前記案内は、前記トランスデューサをハンダ付けなしに電気接触させて位置させることを特徴とする請求項６記載の補聴器。
【請求項８】
軸に沿って伸びるハウジングを有し、同ハウジングは前記軸に沿って伸びる中空部をもち、同中空部は１品構成で２つのハウジング部材に分離不能であることを特徴とする補聴器。
【請求項９】
前記中空部が一体な断面を有することを特徴とする請求項８に記載の補聴器。
【請求項１０】
前記ハウジングが前記管状部の少なくとも１つの取り外し可能なカバーを有することを特徴とする請求項８又は９に記載の補聴器。
【請求項１１】
前記カバーに取り付けられたモジュールを有することを特徴とする請求項１０に記載の補聴器。
【手続補正２】
【補正対象書類名】明細書
【補正対象項目名】０００１
【補正方法】変更
【補正の内容】
【０００１】
本発明は、請求項１の導入部に記載された補聴器に関する。
【手続補正３】
【補正対象書類名】明細書
【補正対象項目名】０００２
【補正方法】変更
【補正の内容】
【０００２】
この型式の補聴器においては、曲げられた管状のハウジング部材を備えた装置本体を、実質的に部材の母線に沿って分割された２つの皿状部材として形成し、これを組立てることが通常である。組立は、皿状部材を開き、この中に補聴器の機能装置をセットし、次いで、皿状部材を接着又はネジ止めによって閉じることによって行う。この作業は、機能装置のセッティング自体にも、また多くの場合ハンダ付けによる電気的接続にも、更には皿状部材の結合についても、熟練者による精密な作業を必要とする。その上、組立てられた皿状部材に沿って形成された結合部において、シールの問題が生じる。
【手続補正４】
【補正対象書類名】明細書
【補正対象項目名】０００３
【補正方法】変更
【補正の内容】
【０００３】
本発明は、これらの問題を解消することを目的とする。この目的のため、頭書の補聴器は、それぞれ請求項１及び請求項８の特徴部に記載された特徴を有する。
【手続補正書】
【提出日】平成18年6月6日(2006.6.6)
【手続補正１】
【補正対象書類名】明細書
【補正対象項目名】特許請求の範囲
【補正方法】変更
【補正の内容】
【特許請求の範囲】
【請求項１】
そこに付着する吸収性ディスクを含む支持体、および装置に付着する接種媒介物を含み、前記接種媒介物が前記吸収性ディスクと接触できることを特徴とする、微生物の検出または計数のためのアッセイ装置。
【請求項２】
前記装置に付着するカバーシートを含むことを特徴とする、請求項１記載の装置。
【請求項３】
前記接種媒介物が前記装置に脱着式に付着することを特徴とする、請求項１記載の装置。
【請求項４】
前記接種媒介物が前記装置にミシン目によって付着することを特徴とする、請求項３記載の装置。
【請求項５】
前記接種媒介物が吸収性パッドを含むことを特徴とする、請求項１記載の装置。
【請求項６】
前記接種媒介物が熱成形トレーを含むことを特徴とする、請求項３記載の装置。
【請求項７】
前記ディスクが２つの異なるサイズを含み、各サイズが異なる容積を含有することができることを特徴とする、請求項１記載の装置。
【請求項８】
前記支持体が外側マージンを含み、より小さな容積のサンプルを含有できるディスクが支持体上にまとめられ、まとまりとしてより大きい容積のサンプルを含有できるディスクによって実質的に囲まれることを特徴とする、請求項７記載の装置。
【請求項９】
請求項１記載のアッセイ装置を提供するステップと、
サンプルを前記接種媒介物に載せるステップと、
前記接種媒介物を前記吸収性ディスクに接触させて、前記サンプルの前記媒介物から前記ディスクへの移動をもたらすステップと、
前記媒介物を前記装置から除去するステップと、
を含むことを特徴とする、アッセイ装置を使用する方法。
【手続補正書】
【提出日】平成18年9月25日(2006.9.25)
【手続補正１】
【補正対象書類名】明細書
【補正対象項目名】０００４
【補正方法】変更
【補正の内容】
【０００４】
欧州特許第0456933A1号は、高速でのモーターサイクルタイヤの優れた安定性および地面との優れた接触特性を付与するために、少なくとも２つのプライ、すなわち、周方向に対して４０°〜９０°の間の角度で配向されたケーブルでできたカーカス補強体に半径方向に最も近い第１のプライと、周方向にらせん状に巻かれたケーブルでできたトレッドに半径方向に最も近い第２のプライとを備えたクラウン補強体を作ることを教示している。
米国特許第5 5529 102号には、１６〜３０°の間の角度で交差する要素で形成されたクラウンプライの半径方向外方に、脂肪族ポリアミドの補強要素（ラジアルに配置できる）からなるプライが配置された構成のモーターサイクルタイヤが開示されている。モーターサイクルの後輪用タイヤの駆動能力を高めるため、米国特許第5 301 730号では、ラジアルカーカス補強体からトレッドに至るまで、実質的に周方向の要素からなる少なくとも１つのプライと、一プライから隣接プライにかけて交差しかつ周方向に対して３５〜５５°の間の角度を形成する要素からなる２つのプライとを有するクラウン補強体が提案されている。周方向に対して平行な要素からなるプライは、芳香族ポリアミドの要素と、脂肪族ポリアミドの交差した要素からなるプライとで形成できる。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  
蓋（１２４）の取り付けられたリム（１０７）を持ったカップ状の剛性又は半剛性の本体（１０６）を有する気密封鎖容器内に製品を包装する方法であって、
（ａ）前記カップ状本体（１０６）内に製品を導入し、
（ｂ）気体入口（１３４）と気体出口（１１２）とがある孤立空間（２０４）であって、前記本体（１０６）と前記リム（１０７）に隣接しかつこれからある隙間を有する蓋形成用部材（２００）との間に定められた前記空間（２０４）を形成し、
（ｃ）前記孤立空間（２０４）内に初めから入っていた気体の少なくも相当な部分を置換するように前記入口（１３４）を経て置換気体を導き、そして
（ｄ）前記隙間を閉じて蓋形成用部材（２００）を前記リム（１０７）に取り付けるように前記本体（１０６）又は前記蓋形成用部材（２００）の少なくも一方を２個の部材の他方に向かって動かし、そして気密封鎖を形成するようにこの２個を互いに気密に取り付ける
諸段階を含む方法。
【請求項２】
容器は蓋（１２４）が取り付けられたリム（１０７）のある本質的にカップ状の本体（１０６）を有し、製品は容器を完全には満たさずに容器内部に残余空間（２１０）を残す、気密封鎖された製品収容用の容器を形成する装置であって、
−前記容器の本体（１０６）を保持するホルダー（１０４）、
−前記ホルダー（１０４）及び蓋成型用部材と気密に組み合うことができかつ開口（１３２）を有するスペーサー部材（１３０）であって、前記スペーサー部材（１３０）が前記ホルダー（１０４）及び前記蓋形成用部材（２００）と気密に組み合った状態において、前記開口（１３２）、前記容器本体（１０６）及び前記蓋形成用部材（２００）が一緒に孤立空間（２０４）を定める前記スペーサー、
−それぞれ置換気体を前記孤立空間（２０４）内に導入し、そしてここから気体を排出するための気体入口（１３４）及び気体出口（１１２）、及び
−前記容器本体（１０６）と前記蓋形成用部材（２００）の一方又は双方を互いに向かって移動させこれらを互いに気密に取り付けるための変位機構を有する封鎖用機構
を備えた装置。
【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  被験者の複数の心拍動をサンプリングし、
前記複数の心拍動の変動を決定し、
周波数の関数として前記変動を表現し、
周波数の関数として表現された前記変動における周波数の分布を決定し、
前記周波数の分布のピーク周波数を選択し、
前記ピーク周波数（Ｅpeak）に対応した前記変動のエネルギ値を決定し、
前記ピーク周波数を下回る前記変動のエネルギ値（Ｅbelow）と前記ピーク周波数を上回る前記変動のエネルギ値（ＥAabove）を決定し、
ＥbelowとＥAaboveに対するＥpeakの比率を決定し、
前記被験者に対し、第１の表示形式で、前記比率に対応する第１のパラメータの表示を行うようにしたことを特徴とする方法。
【請求項２】  所定の時間にわたって被験者における複数の心拍動をサンプリングするサンプリング回路と、
表示ユニットと、
前記サンプリング回路と前記表示ユニットに連結された処理ユニットとを備え、
前記処理ユニットが、
前記所定の時間中にそれぞれの拍動間の間隔を測定して前記複数の心拍動の変動を決定し、
前記変動の周波数分布を決定し、前記周波数分布が少なくとも１つのピークを有し、前記少なくとも１つのピークが周波数の範囲を含み、
前記変動の前記周波数分布のパラメータを計算し、その際前記パラメータが、前記少なくとも１つのピークの面積と前記周波数分布の残りの部分の面積に対する比率であり、
前記パラメータを前記表示ユニットに対して出力して前記被験者に対する表示を行うようにしたことを特徴とする装置。
【請求項３】  所定の時間中の被験者の複数の心拍動のそれぞれの拍動間の時間間隔を含む心拍数変動情報を受け、
周波数の関数として前記心拍数変動を表現し、
第１の範囲の周波数にわたる前記心拍数のパワーを決定し、
前記第１の範囲の周波数に対応する前記心拍数変動のパワーピークを選択し、
前記選択されたパワーピークにおけるパワーと第２の範囲の周波数にわたる前記心拍数変動のパワーに関係するパラメータを計算し、そのパラメータを前記被験者に提示することを特徴とする方法。
【請求項４】  内部に埋め込まれたコンピュータ・プログラム・コードを備えた媒体を使用可能なコンピュータを有するコンピュータ・プログラム・プロダクトにおいて、
被験者の複数の心拍動をサンプリングするコンピュータ読み取り可能なプログラム・コードと、
前記複数の心拍動の心拍数変動を得るコンピュータ読み取り可能なプログラム・コードと、
前記心拍数変動における周波数分布を決定すると共にピーク周波数を選択するコンピュータ読み取り可能なプログラム・コードと、
前記ピーク周波数（Ｅpeak）に対応した前記心拍数変動のエネルギ値、前記ピーク周波数を下回る前記変動のエネルギ値（Ｅbelow）、前記ピーク周波数を上回る前記変動のエネルギ値（ＥAabove）を決定するコンピュータ読み取り可能なプログラム・コードと、
ＥbelowとＥAaboveに対するＥpeakの比率を決定するコンピュータ読み取り可能なプログラム・コードと、
前記被験者に対し、第１の表示形式で、前記比率に対応する第１のパラメータの表示を行うコンピュータ読み取り可能なプログラム・コードと
を格納したコンピュータ可読媒体。
【請求項５】  被験者の複数の心拍動をサンプリングする第１回路と、
前記複数の心拍動の心拍数変動を決定すると共に前記複数の心拍動におけるそれぞれの心拍動の間の時間間隔を決定する第２回路と、
前記心拍数変動の周波数分布であって、周波数の範囲を示す少なくとも１つのピーク周波数を備えている周波数分布を決定する第３回路と、
前記少なくとも１つのピーク周波数の面積と前記周波数分布の残りの部分の面積の比率に基づいて前記周波数分布の第１パラメータを計算する第４の回路と、
第１の表示形式で前記第１パラメータを表示する出力回路と
を有することを特徴とする装置。
【請求項６】  心拍数変動を評価する方法において、
（ａ）被験者の複数の心拍動変動をサンプリングし、
（ｂ）前記被験者の心拍数変動を決定し、
（ｃ）分布の可変のピークと前記分布の残りの部分の比率に基づいたパラメータを得るために前記（ａ）、（ｂ）を繰り返し、
（ｄ）前記被験者の前記心拍数変動に対応する前記パラメータを得、
（ｅ）前記パラメータを用いて前記被験者の積極的な情緒の状態を強化する
ことを特徴とする方法。
【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  頭頂部空間を含むヘルメットと、当該ヘルメットの頭頂部空間内に位置していてフィルタおよびフィルタ支持体を含むフィルタ組立体と、を含む電動空気浄化呼吸装置であって、
上記フィルタ支持体は、投入端部と末端の間に延在する長手方向軸線を有し、さらに、
当該フィルタ支持体は、
フィルタ支持体の凸状第１面にある２つ以上の第１支持リブであって、当該第１支持リブの各々が、前記フィルタ支持体の長手方向軸線にほぼ整列する第１支持リブと、
前記フィルタ支持体の凸状第１面に対向する凹状第２面にある２つ以上の第２支持リブであって、当該第２支持リブの各々が前記長手方向軸線にほぼ整列する第２支持リブと、を含み、
前記第１支持リブの少なくとも１つが、前記長手方向軸線を横断する横方向軸線に沿って前記第２支持リブの各々から側方に偏位している、電動空気浄化呼吸装置。
【請求項２】  前記フィルタがフィルタバッグを含む、請求項１記載の電動空気浄化呼吸装置。
【請求項３】  前記第１支持リブの全てが、前記横方向軸線に沿って第２支持リブの全てから側方に偏位している、請求項１記載の電動空気浄化呼吸装置。
【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  関節部に移植される人工骨であって、
関節部において骨の内部に移植されるステムを有し、
このステムは、少なくとも一部が骨の内部に受容され、かつ一部が骨より外側の位置に露出するような大きさと形状を有し、
このステムは、人工骨の移植後に関節部を用いている際に、高い体液圧力に曝された第１位置から第２位置へ、体液圧力を発散させるように構成された流通路を有し、
この流通路が第１位置から第２位置へ体液を排出することにより、関節部に配置された骨と人工骨の間において、体液圧力の上昇が抑制されることを特徴とする人工骨。
【請求項２】  請求項１に記載の人工骨であって、
この流通路は、人工骨の移植後に高濃度の関節摩耗片に曝される第１位置から第２位置まで関節摩耗片を排出するように構成され、
この流通路が第１位置から第２位置へ関節摩耗片を排出することにより、関節部に配置された骨と人工骨の間において、関節摩耗片の蓄積が抑制されることを特徴とする人工骨。
【請求項３】  請求項１に記載の人工骨であって、
人工骨を移植する際、骨に貫通して挿入されるように構成された先端部を有し、
この先端部は、通常、第２位置に配置され、
流通路は、通常、この先端部において、開口部を有することを特徴とする人工骨。
【請求項４】  請求項３に記載の人工骨であって、
流通路は、ステム内に延びることを特徴とする人工骨。
【請求項５】  請求項４に記載の人工骨であって、
流通路は、
通常、ステムの長手方向に延びる主要通路と、
ステムの外面上に設けた複数の離間した開口孔から主要通路に延びる副次的通路とを有することを特徴とする人工骨。
【請求項６】  請求項５に記載の人工骨であって、
ステムは側面を有し、
副次的通路の開口孔は、副次的通路と主要通路が、人工骨と骨の間の界面と流体連通するように、この側面に配置され、
副次的通路は、この側面に対して斜めの角度で、開口孔から内側に延びることを特徴とする人工骨。
【請求項７】  請求項６に記載の人工骨であって、
ステムは、ステムが骨を貫通して延び、ステムの先端部が骨の外側に露出するような接骨移植に適した大きさを有することを特徴とする人工骨。
【請求項８】  請求項７に記載の人工骨であって、
主要通路は、ステムの先端部において開口し、
開口部と主要通路は、人工骨が骨の内部に移植された際、流体を主要通路内に注入するための注入部品を受容するような大きさと形状を有し、
この流体は、主要通路から、副次的通路まで、さらに人工骨および骨の界面まで流れることを特徴とする人工骨。
【請求項９】  請求項４に記載の人工骨であって、
人工骨を股関節において大腿骨内に移植するために、人工骨は、
先端部とは反対側のステムの端部にカラー部と、
カラー部の上に取り付けられたネック部と、
ネック部の上に取り付けられたボール部とをさらに有し、
流通路は、カラー部の上面に配置された第１位置において開口することを特徴とする人工骨。
【請求項１０】  請求項９に記載の人工骨であって、
流通路とは第１の流通路であって、
ステムは、カラー部の上面に開口し、第２位置に延びる第２の流通路をステム内に有することを特徴とする人工骨。
【請求項１１】  請求項１０に記載の人工骨であって、
第２の流通路は、第１位置とアクセスするための器具を受容するような大きさと形状を有することを特徴とする人工骨。
【請求項１２】  請求項１１に記載の人工骨であって、
第２の流通路は、第１の流通路とは接続されないことを特徴とする人工骨。
【請求項１３】  請求項１２に記載の人工骨であって、
第１および第２の流通路は、ステムを貫通して、ステムの先端部において独立した開口部まで延びることを特徴とする人工骨。
【請求項１４】  関節部に移植される人工骨であって、
この人工骨は、ステムを有し、
このステムは、通常、一端部において先端部を有し、
このステムは、ステムの先端部が骨より外側の位置に露出するように、関節部において骨の内部に受容されるような大きさと形状を有し、
このステムは、人工骨上の第１位置から人工骨上の第２位置まで延びる流通路を内部に有することを特徴とする人工骨。
【請求項１５】  請求項１４に記載の人工骨であって、
この人工骨は、注入部品と協働し、
人工骨の流通路は、第２位置に開口部を有し、
この開口部と流通路は、人工骨が骨に移植された際、通路に流体を注入するための注入部品を受容するような大きさと形状を有することを特徴とする人工骨。
【請求項１６】  請求項１５に記載の人工骨であって、
流通路は、第２位置にある開口部から延びる主要通路と、主要通路から人工骨に設けた開口孔まで延びる副次的通路とを有し、
注入された流体は、主要通路から副次的通路へ、さらには副次的通路の開口孔へ流れ得ることを特徴とする人工骨。
【請求項１７】  請求項１６に記載の人工骨であって、
注入部品は、その上に形成されたねじ山を有し、
主要通路は、注入部品を開口部に固定するために、注入部品のねじ山と係合するように開口部に形成されたねじ山を有することを特徴とする人工骨。
【請求項１８】  請求項１７に記載の人工骨であって、
ステムの先端部は、一般に、第２位置にあり、
主要通路の開口部は、一般に、先端部に配置されることを特徴とする人工骨。
【請求項１９】  請求項１５に記載の人工骨であって、
この人工骨は、さらに、注入部品と流体連通する注入ポートと協働し、
注入ポートは、流体を流通路に反復して注入するために用いられるように、皮下において移植されるように構成されることを特徴とする人工骨。
【請求項２０】  関節部に移植される接骨人工骨であって、
関節部において骨の内部に移植されるステムを有し、
このステムは、少なくとも一部が骨の内部に受容され、ステムの下側部分が骨より外側の位置に露出するような大きさと形状を有し、
このステムは、関節部を用いている際に、高い体液圧力に曝された第１位置から第２位置へ、体液圧力を発散させるための流通路を有し、
この流通路が第１位置から第２位置へ体液を排出することにより、関節部に配置された骨と人工骨の間において、体液圧力の上昇が抑制されることを特徴とする人工骨。
【請求項２１】  請求項２０に記載の人工骨であって、
この流通路は、流体圧力をステムの上側部分に隣接する第１位置から、ステムの下側部分に隣接する、骨より外側の位置である第２位置へ発散させ、かつ関節部から離して発散させるように構成されることを特徴とする人工骨。
【手続補正書】
【提出日】平成18年3月15日(2006.3.15)
【手続補正１】
【補正対象書類名】明細書
【補正対象項目名】請求項３
【補正方法】変更
【補正の内容】
【請求項３】  前記処方が反応性希釈剤、好ましくはモノマー、特に好ましくはアクリレートを含み、そのアクリレートが、好ましくは、ブチルアクリレート、２−エチルヘキシルアクリレート、ヒドロキシエチルアクリレート、ヒドロキシプロピルアクリレート、４−ヒドロキシブチルアクリレート、ジエチレングリコールアクリレート、イソデシルアクリレート、および２−エトキシエチルアクリレートからなる群からの単官能性アクリレートであり；二官能性アクリレートが、ジエチレングリコールジアクリレート、ジプロピレングリコールジアクリレート、トリエチレングリコールジアクリレート、トリプロピレングリコールジアクリレート、および１，６−ヘキサンジオールジアクリレートからなる群からであり；三官能性アクリレートがトリメチロールプロパントリアクリレート、およびペンタエリスリトールトリアクリレートからなる群からであり；特に好ましくは２−エトキシエチルアクリレート、イソデシルアクリレート、１，６−ヘキサンジオールジアクリレート、およびトリメチロールプロパントリアクリレートに与えられることを特徴とする請求項１または２に記載の方法。
【手続補正２】
【補正対象書類名】明細書
【補正対象項目名】００２６
【補正方法】変更
【補正の内容】
【００２６】
単官能性アクリレートの添加は、硬度を低減し、可撓性を増大させて、そのポリマーに良好な接着性を与える。単官能性モノマーは、重合の間のより低い収縮をも与える。原則として、公知の単官能性アクリレートの任意のものが使用可能である。単官能性アクリレートは、好ましくは、ブチルアクリレート、２−エチルヘキシルアクリレート、ヒドロキシエチルアクリレート、ヒドロキシプロピルアクリレート、４−ヒドロキシブチルアクリレート、ジエチレングリコールアクリレート、イソデシルアクリレート、および２−エトキシエチルアクリレートからなる群から選ばれる。エトキシエチルアクリレートおよびイソデシルアクリレートが特に好ましい。
【誤訳訂正書】
【提出日】平成17年8月12日(2005.8.12)
【誤訳訂正１】
【訂正対象書類名】明細書
【訂正対象項目名】００１５
【訂正方法】変更
【訂正の内容】
【００１５】
第１流路は、第１搬送手段から第１のチャンネルを通って第２搬送手段へ流れる。第２流路は、第２搬送手段から第２のチャンネルを通って第１搬送手段へ流れる。
【誤訳訂正２】
【訂正対象書類名】明細書
【訂正対象項目名】００４８
【訂正方法】変更
【訂正の内容】
【００４８】
第１及び第２の筒部８４、１０４のプランジャが圧縮されまたは作動されたときに完成される第１及び第２の流路２２、２４の概略図が、図５及び図６に示されている。アダプタ１０を通って流れる物質は、外方向へ、即ちそれぞれの筒部１０４、８４の壁１２０、１２２に向かって、第２開口４２、４６を通って送られ、物質の循環を助ける。結果として、流路２２の出口パターンは実質的に流路２４の入口パターンから離れ、逆の場合も同様であり、それによって、循環、混合動作を提供する。アダプタ１０は、従って、チップ間で物質を行ったり来たりさせる動きとは対照的に、実質的に円形の流れパターン内でシリンジ筒部間の物質の循環を可能とする。
【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】プリーツを備えないメインボデーを有する個人用呼吸保護装置にして、
メインボデーは、第１部分と、
第１境界線によって、第１部分から区別される第２部分と、
第２境界線によって、第２部分から区別される第３部分と、
装置が使用時に方向付けられたときに正面から見たときに実質的に垂直である２等分折り目とを有し、当該実質的に垂直な２等分折り目は、第１部分と、第２部分と、第３部分とを通して延在し、
上記２等分折り目に沿って第１の実質的に平坦な折り畳み形態に折り畳むことが可能であり、また、凸状展開形態に展開することが可能である呼吸保護装置。
【請求項２】濾過媒体と、カバー層と、補強材層とを有する請求項１記載の呼吸保護装置。
【請求項３】上記第１境界線と、上記第２境界線とは、第１境界線と第２境界線とに関して実質的に同一に延在する接合線を含み、
接合線は、上記濾過媒体と、上記カバー層と、上記補強材層とを互いに接合する請求項１記載の呼吸保護装置。
【請求項４】上記２等分折り目は、上記第１部分における第１折り目を有する請求項１記載の呼吸保護装置。
【請求項５】呼吸装置を製造するための方法であって、
予備形成ブランクを２等分軸沿いに折り曲げて２等分折り線を備えた予備形成品を作るステップと、
予備形成品を、上記２等分折り線に対して、第１位置で第１所望角度で切断するステップとを有し、
第１所望角度は、装置の所望の寸法構成に基づいて決定されるようにした製造方法。
【請求項６】さらに、上記予備形成品を、上記２等分折り線に対して、第２位置で第２所望角度で切断するステップを有し、
第２所望角度は、上記装置の所望の寸法構成に基づいて決定されるようにした請求項５記載の製造方法。
【請求項７】プリーツを備えないメインボデーを有する個人用呼吸装置にして、
メインボデーは、第１部分と、
第１境界線によって、第１部分から区別される第２部分と、
第２境界線によって、第２部分から区別される第３部分と、
第１部分と、第２部分と、第３部分とを通して延在する２等分折り目とを有し、
該２等分折り目は、装置を正面から見たときに垂直に方向付けられていると共に、使用時に直立に方向付けられており、
第１境界線と第２境界線とは、２等分折り目から横方向に延在し、
上記２等分折り目に沿って第１の実質的に平坦な折り畳み形態に折り畳むことが可能であり、また、凸状展開形態に展開することが可能である呼吸装置。
【請求項８】上記実質的に平坦な折り畳み形態を実現するべく、上記２等分折り目以外に、他の折り目が必要ではない請求項７記載の呼吸装置。
【請求項９】プリーツを備えないメインボデーを有する個人用呼吸保護装置にして、
メインボデーは、第１部分と、
第１境界線によって、第１部分から区別される第２部分と、
第２境界線によって、第２部分から区別される第３部分と、
第１部分と、第２部分と、第３部分とを通して延在する２等分折り目とを有し、
第１境界線と第２境界線とは、交差せず、
上記２等分折り目に沿って第１の実質的に平坦な折り畳み形態に折り畳むことが可能であり、また、凸状展開形態に展開することが可能である呼吸保護装置。
【請求項１０】上記実質的に平坦な折り畳み形態を実現するべく、上記２等分折り目以外に、他の折り目が必要ではない請求項９記載の呼吸保護装置。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  ニコチン依存症の治療のためのデオキシペガニンおよび／またはその薬学的に許容できる酸付加塩の１つの使用。
【請求項２】  デオキシペガニンが、遊離のデオキシペガニンとして計算して０.１ないし５０重量％の比率で医薬組成物中に含まれる、請求項１に記載の使用。
【請求項３】  デオキシペガニンが、遊離のデオキシペガニンとして計算して２ないし１５重量％の比率で医薬組成物中に含まれる、請求項２に記載の使用。
【請求項４】  活性化合物が経口、非経口または経皮投与可能形で存在する、請求項１〜３のいずれか１項に記載の使用。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  アルコール中毒症の治療用の薬剤を製造するためのデオキシペガニンおよび／またはその薬学的に許容できる酸付加塩の１つの使用。
【請求項２】  経皮、経口または非経口投与のための請求項１に記載の使用。
【請求項３】  薬剤が、その全重量の０.１ないし９０重量％の活性化合物、および通例の添加剤を含む、請求項１または２に記載の使用。
【請求項４】  薬剤が、その全重量の５ないし２０重量％の活性化合物、および通例の添加剤を含む、請求項３に記載の使用。
【請求項５】  薬剤が持続作用を有する、請求項１ないし４のいずれか１項に記載の使用。
【請求項６】  活性化合物が無機または有機媒質中の、溶液の形でまたは分散物として存在する、請求項１ないし５のいずれか１項に記載の使用。
【請求項７】  デオキシペガニンおよび／またはその薬学的に許容できる酸付加塩の１つを含む、経皮、経口または非経口投与用のアルコール中毒症の治療のための製剤。
【請求項８】  活性化合物が、不透過性裏層、活性化合物溜め、適宜活性化合物の放出を制御する膜、この系を皮膚に固定するための触圧接着剤装置、および適宜、この系の適用前に除去することができる保護層を含む経皮治療系に加えられている、請求項７に記載の製剤。
【請求項９】  有効量のデオキシペガニンおよび／またはその薬学的に許容できる酸付加塩の１つを固体形で、または無機もしくは有機媒質中の溶液もしくは分散液で製剤中に混入し、さらに通例の添加剤を加えることが可能である、アルコール中毒症の治療のための製剤を製造する方法。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  アルツハイマー痴呆症治療用薬剤を製造するためのデオキシペガニンおよび／またはデオキシペガニンの製薬上許容される酸付加塩の使用。
【請求項２】  デオキシペガニンおよび／またはその製薬上許容される酸付加塩の有効量を含有し、かつ制御された方法でその活性化合物を放出する、アルツハイマー痴呆症治療用薬剤。
【請求項３】  少なくとも１２時間以上活性化合物を放出する、請求項２に記載の薬剤。
【手続補正２】
【補正対象書類名】明細書
【補正対象項目名】０００１
【補正方法】変更
【補正の内容】
【０００１】
本発明は、デオキシペガニンおよび／またはデオキシペガニンの製薬上許容される酸付加塩を用いたアルツハイマー痴呆症の治療のための、装置（device）および方法に関する。
【手続補正３】
【補正対象書類名】明細書
【補正対象項目名】０００９
【補正方法】変更
【補正の内容】
【０００９】
この目的は、活性化合物デオキシペガニンおよび／またはデオキシペガニンの製薬上許容できる酸付加塩を、患者に送達することが可能な装置により達成される。
【化１】
2002537256.tif 000001
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  薬物耽溺および／または薬物依存症の治療用の薬剤を製造するためのデオキシペガニンおよび／またはその薬学的に許容できる酸付加塩の１つの使用。
【請求項２】  有効量のデオキシペガニンおよび／またはその薬学的に許容できる酸付加塩の１つを固体形で、または無機もしくは有機媒質中の溶液もしくは分散液として製剤に混入し、さらに通例の添加剤を加えることが可能である、薬物耽溺および／または薬物依存症の治療のための医薬投与形を製造する方法。
【手続補正書】
【提出日】平成17年8月23日(2005.8.23)
【手続補正１】
【補正対象書類名】明細書
【補正対象項目名】発明の名称
【補正方法】変更
【補正の内容】
【発明の名称】デオキシペガニン含有の経皮治療用薬剤
【手続補正２】
【補正対象書類名】明細書
【補正対象項目名】特許請求の範囲
【補正方法】変更
【補正の内容】
【特許請求の範囲】
【請求項１】  溜め層が１０〜８０重量％の重合体物質および０.１〜３０重量％のデオキシペガニンおよび／またはその薬学的に許容できる塩の１つを含む、活性化合物不透過性裏層および触圧接着剤溜め層を有する、皮膚にデオキシペガニンを投与するための経皮治療用薬剤。
【請求項２】  活性化合物の放出を制御する半透性または微孔質膜が付加的に存在する、請求項１に記載の薬剤。
【請求項３】  触圧接着剤溜め層が０.１〜３０重量％の浸透促進剤を包含する、請求項１または２に記載の薬剤。
【請求項４】  浸透促進剤がカルボン酸である、請求項３に記載の薬剤。
【請求項５】    触圧接着剤溜め層が０.１〜３０重量％の可塑剤を包含する、請求項１または２に記載の薬剤。
【請求項６】  重合体物質がポリアクリレートおよびアクリル酸および／またはメタクリル酸および／またはそれらのエステル類の重合生成物の群から選択される、請求項１に記載の薬剤。
【請求項７】  重合体物質がアルコール成分として４〜１０個の炭素原子を有する直鎖または分枝鎖状アルコールを包含するアクリル酸のエステルを使用して製造された、請求項６に記載の薬剤。
【請求項８】  重合体物質がアルコール成分として２〜４個の炭素原子を有する直鎖または分枝鎖状アルコールを包含するアクリル酸のエステルを使用して製造された、請求項６に記載の薬剤。
【請求項９】  重合体物質がアルコール成分としてアミノアルコールを包含するメタクリル酸のエステルを使用して製造された、請求項６に記載の薬剤。
【請求項１０】  重合体物質が自己架橋性または非自己架橋性アクリレート共重合体
より成る、請求項６に記載の薬剤。
【請求項１１】  活性化合物を放出する領域が再除去することができる保護層を備えている、請求項１または２に記載の薬剤。
【請求項１２】  重合体物質がセルロースおよびその誘導体より成る、請求項１または２に記載の薬剤。
【請求項１３】  溜め層が１０〜８０重量％の重合体物質および０.１〜３０重量％のデオキシペガニンおよび／またはその薬学的に許容できる塩の１つを含む、活性化合物不透過性裏層および触圧接着剤溜め層を有する経皮治療用薬剤の製造のためのデオキシペガニンの使用。